(57)【要約】      （修正有）【課題】  座部の方向を容易に転換できるベビーカーのフレームを提供する。【解決手段】  支持座３と、連結部材１５と、前輪支持管１１と、後輪支持管１２と、前輪セット１３と、後輪セット１４とを含んでなり、前輪支持管と後輪支持管との間に連結部材を回動自在に設けるとともに、前輪支持管と後輪支持管の下端にはそれぞれ該前輪セットと後輪セットとに接続する支持フレーム１と、支持座上に回動自在に設けられ、かつ上方に一対の連結座を設けた座部支持フレーム４と、座部支持フレームと支持座との間に設けられる係合部材であって、かつ位置決め位置に係合する場合に座部支持フレームが支持座上で回転する動きを阻止するために供され、位置決め位置を離れて座部支持フレームが自在に回転するように復帰させる係合部材と、座部支持フレームの両側に回動自在に設けられるハンドル管１０と、ハンドル管と該係合部材の間に開放手段５とを設ける。【選択図】  図１
2008030741.tif 000002
【特許請求の範囲】
【請求項１】
座部の方向転換構造を具えるベビーカーのフレームであって、
支持座と、連結部材と、前輪支持管と、後輪支持管と、前輪セットと、後輪セットとを含んでなり、該支持座に位置決め位置を設け、該前輪支持管と該後輪支持管とを該支持座の下方に設け、かつ該前輪支持管と後輪支持管との間に該連結部材を回動自在に設けるとともに、該前輪支持管と後輪支持管の下端にはそれぞれ該前輪セットと該後輪セットとに接続する支持フレームと、
該支持座上に回動自在に設けられ、かつ上方に一対の連結座を設けた座部支持フレームと、
該座部支持フレームと該支持座との間に設けられる係合部材であって、かつ該位置決め位置に係合する場合に該座部支持フレームが該支持座上で回転する動きを阻止するために供され、該位置決め位置を離れて該座部支持フレームが自在に回転するように復帰させる係合部材と、
該座部支持フレームの両側に回動自在に設けられ、ベビーカーを押して動かす動作に供され、該座部支持フレームが自在な回転をするように復帰すると、回転させて該座部の方向を転換できるハンドル管と、
該ハンドル管と該係合部材の間に設けられ、該ハンドル管の該座部支持フレームに対する回転によって該係合部材を回転させ、該係合部材をして該位置決め位置に係合させるか、もしくは離脱させる開放手段とを含むことを特徴とするベビーカーのフレーム。
【請求項２】
前記支持座に軸孔を形成し、該軸孔に該座部支持フレームを挿入し、該座部支持フレームを回動自在に支持することを特徴とする請求項１に記載のベビーカーのフレーム。
【請求項３】
前記座部支持フレームに支持軸を設け、該支持座に軸孔を形成し、該支持軸を該軸孔に挿入し、該支持軸を支軸として該座部支持フレームを回動自在に設けることを特徴とする請求項１に記載のベビーカーのフレーム。
【請求項４】
前記座部支持フレームの両側に一対の連結座を設け、該連結座を該座部支持フレームに連結することを特徴とする請求項１に記載のベビーカーのフレーム。
【請求項５】
前記座部支持フレームの両側に一対の連結座を設け、該連結座を乳幼児用の籠に連結することを特徴とする請求項１に記載のベビーカーのフレーム。
【請求項６】
前記座部支持フレームの両側に一対の連結座を設け、該連結座を自動車用の安全シートに連結することを特徴とする請求項１に記載のベビーカーのフレーム。
【請求項７】
前記係合部材を該支持フレーム上に設けて往復移動させることを特徴とする請求項１に記載のベビーカーのフレーム。
【請求項８】
前記ハンドル管の両側に回転座を儲け、該回転座が該座部支持フレームの連結座に回動自在に設けられることを特徴とする請求項１に記載のベビーカーのフレーム。
【請求項９】
前記ハンドル管と該座部支持フレームとの間に該開放手段を設けて、該ハンドル管が固定した状態になるか、回転可能な状態になるかを制御することを特徴とする請求項１に記載のベビーカーのフレーム。
【請求項１０】
前記開放手段がスライドリングと、連結部材と、開放手段と、弾性部材とを含み、かつ該開放手段は該ハンドル管が固定された状態において、該弾性部材によって該連結座と該回転座との間に保持され、該回転座の回転を阻止し、該スライドリングは該ハンドル管に挿入され、該スライドリングが移動して連結桿を経て該開放手段を駆動し、連結座の係合による制限を解除して該ハンドル管を回転可能な状態にすることを特徴とする請求項８に記載のベビーカーのフレーム。
【請求項１１】
前記ハンドル管を該支持座の上方に回転させて、該毛号部材を該位置決め位置から離脱させることを特徴とする請求項１に記載のベビーカーのフレーム。
【請求項１２】
前記回転座が該支持フレーム上に設けられ、少なくとも駆動盤と、連動部材とを具え、該駆動盤の回転によって該連動部材を介して該係合部材を引っ張り位置決め位置から離脱させることを特徴とする請求項１に記載のベビーカーのフレーム。
【請求項１３】
前記駆動盤が該回転座内に設けられ、かつ該回転座と動機して回転することを特徴とする請求項１２に記載のベビーカーのフレーム。
【請求項１４】
前記駆動構造が、さらにスライド風呂奥を含み、該連動部材の両端がそれぞれ該スライドブロックと該係合部材との間に接続し、該駆動盤の回転によって該スライドブロックを押して移動させ、該係合部材を連動させて位置決め位置から離脱させることを特徴とする請求項１２に記載のベビーカーのフレーム。
【請求項１５】
前記駆動盤に斜め端面を形成し、該斜め端面によって該スライドフロックを押して移動させることを特徴とする請求項１４に記載のベビーカーのフレーム。
【請求項１６】
前記スライドブロックが該座部支持フレームの両側に設けられることを特徴とする請求項１４に記載のベビーカーのフレーム。
【請求項１７】
前記連動部材が可撓性を有する線状の部材であることを特徴とする請求項１２に記載のベビーカーのフレーム。
【請求項１８】
前記係合部材が、該ハンドル部材を該ベビーカーの上方に回転させ、該開放手段によって該駆動構造を駆動した場合に引っ張られて該位置決め位置を離脱することを特徴とする請求項１に記載のベビーカーのフレーム。
【請求項１９】
前記駆動部材が、該スライドリングによって該連結部材を引っ張り、間接的に該係合部材を該位置決め位置から離脱させることを特徴とする請求項１８に記載のベビーカーのフレーム。
【発明の詳細な説明】
【技術分野】
【０００１】
この考案はベビーカーの構造に関し、特に、座部、もしくは座部支持フレームの方向を簡易な操作で自在に転換できるベビーカーのフレームに関する。
【背景技術】
【０００２】
ベビーカーは、乳幼児を乗せて大人が後方から押して前進させる。従来のベビーカーのハンドル管は角度が固定されているため回転させて方向を転換させることができない。但し、乗せた乳幼児の気持ちが落ち着かなかったり、乳幼児の乗った状態が安全でないように感じたりした場合、もしくは乗せた乳幼児をあやしながらベビーカーを押そうとした場合、ベビーカーの座部の方向を転換する必要が起きてくる。
【０００３】
アメリカ合衆国特許第５，８４５，９２４号公報には、ハンドル管を回転させて座部の方向を転換するベビーカーが開示される。該ベビーカーは、フレームにハンドル管を回動自在に設け、スライドリングを利用して選択的に係合させて位置決めし、該ハンドル管を前方、または公報に向かって位置を転換することができる。よって、ベビーカーを操作する者は乳幼児と向かい合うか、同一方向に向かって前進するか、選択することができる。
【０００４】
但し、上述するするベビーカーは、座部の方向を転換できるというベビーカーに対するニーズを満たすことはできるが、なおも次に掲げる欠点を有する。
１、ハンドルの方向を転換する場合に回転させるためのかなりの空間を必要とする。しかも、ベビーカーを操作するものが、移動するためであって、座部を転換するためでない場合、狭い空間となり、係る操作は明らかに行いがたく、不便である。
２．一般のベビーカーは、押して動かす場合に、自由に方向転換ができるように前輪を自在に方向転換できるように構成するが、後輪は方向が固定されている。よって、従来のベビーカーはハンドル管を回転させて方向を転換した場合、機敏性を維持することができなくなる。
【実用新案参考文献】
【０００５】
アメリカ合衆国特許第５，８４５，９２４号公報
【発明の開示】
【発明が解決しようとする課題】
【０００６】
この考案は、座部を取り外すことなく、亦ハンドル管の方向を転換することなく、ベビーカーを押す場合に乳幼児と向かい合うか、または乳幼児と同一方向を向いて前進できるベビーカーのフレームを提供することを課題とする。
【課題を解決するための手段】
【０００７】
そこで、本考案者は従来の技術に見られる欠点に鑑み鋭意研究を重ねた結果、
支持座と、連結部材と、前輪支持管と、後輪支持管と、前輪セットと、後輪セットとを含んでなり、該支持座に位置決め位置を設け、該前輪支持管と該後輪支持管とを該支持座の下方に設け、かつ該前輪支持管と後輪支持管との間に該連結部材を回動自在に設けるとともに、該前輪支持管と後輪支持管の下端にはそれぞれ該前輪セットと該後輪セットとに接続する支持フレームと、
該支持座上に回動自在に設けられ、かつ上方に一対の連結座を設けた座部支持フレームと、
該座部支持フレームと該支持座との間に設けられる係合部材であって、かつ該位置決め位置に係合する場合に該座部支持フレームが該支持座上で回転する動きを阻止するために供され、該位置決め位置を離れて該座部支持フレームが自在に回転するように復帰させる係合部材と、
該座部支持フレームの両側に回動自在に設けられ、ベビーカーを押して動かす動作に供され、該座部支持フレームが自在な回転をするように復帰すると、回転させて該座部の方向を転換できるハンドル管と、
該ハンドル管と該係合部材の間に設けられ、該ハンドル管の該座部支持フレームに対する回転によって該係合部材を回転させ、該係合部材をして該位置決め位置に係合させるか、もしくは離脱させる開放手段とを含むベビーカーのフレームの構造によって課題を解決することができる点に着眼し、係る知見に基いて本考案を完成させた。
【０００８】
以下、この考案について具体的に説明する。
請求項１に記載するベビーカーのフレームは、座部の方向転換構造を具えるベビーカーのフレームであって、
支持座と、連結部材と、前輪支持管と、後輪支持管と、前輪セットと、後輪セットとを含んでなり、該支持座に位置決め位置を設け、該前輪支持管と該後輪支持管とを該支持座の下方に設け、かつ該前輪支持管と後輪支持管との間に該連結部材を回動自在に設けるとともに、該前輪支持管と後輪支持管の下端にはそれぞれ該前輪セットと該後輪セットとに接続する支持フレームと、
該支持座上に回動自在に設けられ、かつ上方に一対の連結座を設けた座部支持フレームと、
該座部支持フレームと該支持座との間に設けられる係合部材であって、かつ該位置決め位置に係合する場合に該座部支持フレームが該支持座上で回転する動きを阻止するために供され、該位置決め位置を離れて該座部支持フレームが自在に回転するように復帰させる係合部材と、
該座部支持フレームの両側に回動自在に設けられ、ベビーカーを押して動かす動作に供され、該座部支持フレームが自在な回転をするように復帰すると、回転させて該座部の方向を転換できるハンドル管と、
該ハンドル管と該係合部材の間に設けられ、該ハンドル管の該座部支持フレームに対する回転によって該係合部材を回転させ、該係合部材をして該位置決め位置に係合させるか、もしくは離脱させる開放手段とを含む。
【０００９】
請求項２に記載するベビーカーのフレームは、請求項１における支持座に軸孔を形成し、該軸孔に該座部支持フレームを挿入し、該座部支持フレームを回動自在に支持する。
【００１０】
請求項３に記載するベビーカーのフレームは、請求項１における座部支持フレームに支持軸を設け、該支持座に軸孔を形成し、該支持軸を該軸孔に挿入し、該支持軸を支軸として該座部支持フレームを回動自在に設ける。
【００１１】
請求項４に記載するベビーカーのフレームは、請求項１における座部支持フレームの両側に一対の連結座を設け、該連結座を該座部支持フレームに連結する。
【００１２】
請求項５に記載するベビーカーのフレームは、請求項１における座部支持フレームの両側に一対の連結座を設け、該連結座を乳幼児用の籠に連結する。
【００１３】
請求項６に記載するベビーカーのフレームは、請求項１における座部支持フレームの両側に一対の連結座を設け、該連結座を自動車用の安全シートに連結する。
【００１４】
請求項７に記載するベビーカーのフレームは、請求項１における係合部材を該支持フレーム上に設けて往復移動させる。
【００１５】
請求項８に記載するベビーカーのフレームは、請求項１におけるハンドル管の両側に回転座を儲け、該回転座が該座部支持フレームの連結座に回動自在に設けられる。
【００１６】
請求項９に記載するベビーカーのフレームは、請求項１におけるハンドル管と該座部支持フレームとの間に該開放手段を設けて、該ハンドル管が固定した状態になるか、回転可能な状態になるかを制御する。
【００１７】
請求項１０に記載するベビーカーのフレームは、請求項８における開放手段がスライドリングと、連結部材と、開放手段と、弾性部材とを含み、かつ該開放手段は該ハンドル管が固定された状態において、該弾性部材によって該連結座と該回転座との間に保持され、該回転座の回転を阻止し、該スライドリングは該ハンドル管に挿入され、該スライドリングが移動して連結桿を経て該開放手段を駆動し、連結座の係合による制限を解除して該ハンドル管を回転可能な状態にする。
【００１８】
請求項１１に記載するベビーカーのフレームは、請求項１におけるハンドル管を該支持座の上方に回転させて、該係号部材を該位置決め位置から離脱させる。
【００１９】
請求項１２に記載するベビーカーのフレームは、請求項１における回転座が該支持フレーム上に設けられ、少なくとも駆動盤と、連動部材とを具え、該駆動盤の回転によって該連動部材を介して該係合部材を引っ張り位置決め位置から離脱させる。
【００２０】
請求項１３に記載するベビーカーのフレームは、請求項１２における駆動盤が該回転座内に設けられ、かつ該回転座と動機して回転する。
【００２１】
請求項１４に記載するベビーカーのフレームは、請求項１２における駆動構造が、さらにスライド風呂奥を含み、該連動部材の両端がそれぞれ該スライドブロックと該係合部材との間に接続し、該駆動盤の回転によって該スライドブロックを押して移動させ、該係合部材を連動させて位置決め位置から離脱させる。
【００２２】
請求項１５に記載するベビーカーのフレームは、請求項１４における駆動盤に斜め端面を形成し、該斜め端面によって該スライドフロックを押して移動させる。
【００２３】
請求項１６に記載するベビーカーのフレームは、請求項１４におけるスライドブロックが該座部支持フレームの両側に設けられる。
【００２４】
請求項１７に記載するベビーカーのフレームは、請求項１２における連動部材が可撓性を有する線状の部材である。
【００２５】
請求項１８に記載するベビーカーのフレームは、請求項１における係合部材が、該ハンドル部材を該ベビーカーの上方に回転させ、該開放手段によって該駆動構造を駆動した場合に引っ張られて該位置決め位置を離脱する。
【００２６】
請求項１９に記載するベビーカーのフレームは、請求項１８における駆動部材が、該スライドリングによって該連結部材を引っ張り、間接的に該係合部材を該位置決め位置から離脱させる。
【発明の効果】
【００２７】
この考案によるベビーカーは、座部を取り外したり、ハンドル管の方向を転換したりすることなく、簡易に座部の方向を転換することができ、使用上便利であるという利点を有する。
【発明を実施するための最良の実施形態】
【００２８】
図１から５に、この考案によるベビーカーのフレームに係る実施例を開示する。図面によれば、この考案によるベビーカーのフレームは、支持フレーム１と、座部、もしくは座部支持フレーム４と、ハンドル管１０と、開放手段５とを含む。
【００２９】
支持フレーム１は、前輪支持管１１と、後輪支持管１２と、前輪セット１３と、後輪セット１４とを具えるとともに、上端に軸孔３２を形成して座部、もしくは座部支持フレーム４を回動自在に設ける。よって、座部支持フレーム４は支持フレーム１を支軸として回動する。
【００３０】
開放手段５はハンドル管１０上に設けられ、座部、もしくは座部支持フレームの回転を制限する係合部材６を含む。ハンドル管１０が回転する場合、開放手段５内の部材を連動し、制動部材６の係合が開放され、座部、もしくは座部支持フレーム４の回動機能が回復して方向を転換できるようになる。
【００３１】
支持フレーム１は、前輪支持管１１と後輪支持管１２とを含む。前輪支持管１１は下端に前輪セット１３を設ける。前輪セット１３は、進行方向を固定するか、もしくは自由に方向転換できる車輪セットである。後輪セット１２の下端には後輪セット１４を設ける。
【００３２】
支持フレーム１は前輪支持管１１と後輪支持管１２の間に連結部材１５を回動自在に設け、上方に軸孔３２を形成した支持座３を設ける。
【００３３】
図３に開示するように、支持座３の上端には軸孔３２を形成するとともに、一対の位置決め位置３１を設ける。両位置決め位置３１は１８０度の角度を以って、円周上の対向する位置にそれぞれ形成される切り欠き溝である。
【００３４】
座部支持フレーム４は、図４に開示するように支持座３上に回動自在に設ける。管体をＵ字状に湾曲させ、下端には下方に延伸する支持軸４２を設ける。支持軸４２を軸孔３２に挿入することによって支持フレーム４を回動自在に設けることができる。両端には連結座４１を設ける。連結座４１は突起した連結部４１１を具え、連結部４１１は、座部支持枠体２か、バスケットか、もしくは自動車用のシート（図示しない）を回動自在に設けるために供する。
【００３５】
連結座４１は、連結部４１１と位置決め溝４１２とを含む。位置決め溝４１２は座部支持枠２か、バスケットか、自動車用のシートを回転させた後の角度を保持する。
【００３６】
座部支持枠２は、ベビーカーに乗せる乳幼児を支持する作用を有する。その両側辺には一対の挿入座２１を設け、連結座４１の連結部４１１を挿入部２１に挿入して座部支持枠２を支持座４に着脱自在に設ける。
【００３７】
ハンドル管１０は、一対の側辺管１１０と、回転座１００とを含む。側辺管１１０の末端は回転座１００に連結する。連結座４１は回転座１００に回動自在に連結し、よって、座部支持フレーム４は傾斜角度を自在に調整することができる。
【００３８】
図２、図７及び図１０に開示するように、ハンドル管１０は座部支持フレーム４に対して回動する。また、ハンドル管１０は回転させた後、係止させて位置決めすることができ、かつ係止を解除することによって回動自在の状態に復帰させることができる。
【００３９】
図６に開示するように、開放手段５はスライドリング５１と、連結部材５２と、開放手段５３と弾性部材５０とを含む。開放手段５３には斜め溝５３１を形成し、回転座１００内に設ける。弾性部材５０は開放手段５３と回転部材１００との間に介設する。ハンドル管１０が所定の位置に至ると、弾性部材５０の付勢力によって開放手段５３を位置決め溝４１２内に保持して、回転座１００が接続座４１と相対的に回転することを制限する。したがって、ハンドル管１０が係止して固定される。
【００４０】
図６に開示するようにハンドル管１０の両側辺管１１０にはスライドリング５１と連結部材５２を設ける。連結部材５２は上端からスライドリング５１を挿設し、下端が斜め溝５３１に接続する。係る構成によって、スライドリング５１が引っ張られて移動すると、連結部材５２の下端が斜め溝５３１内においてスライドして分力作用が発生し、開放手段５３が回転座１００の方向に移動して位置決め溝３１２を離れる。このためハンドル管１０は回動自在の状態が復帰する。
【００４１】
図５、図８、図１１に開示するように、開放手段５は駆動手段７を含み、スライドブロック７２と、連動部材７３と、弾性部材７４と、係合部材７５とを具える。図８に開示するように、弾性部材５０は係合部材７５と支持板４３との間に設ける。係合部材７５は座部支持フレーム４の下方に設ける。弾性部材５０によって係合部材７５が支持板３の位置決め位置３１内に係合した状態を保持する。よって、座部支持フレーム４は支持フレーム１に対して回転することができなくなる。実施例においては座部支持フレームの下に支持板４を設け、係合部材７５は支持板４３内に設けられ、かつ支持板４３内を往復運動する。
【００４２】
図５に開示するように、駆動手段７は座部支持フレーム上に設け、駆動盤７１と、スライドブロック７２と、可能性７３を含む。連動部材は、ワイヤなどの可撓性を有する材質によってなる線状の部材である。駆動盤７１は回転座１００内に設け、回転座１００と動機して回転する。即ちハンドル管１０が回転すると。駆動盤７１はハンドル管１０にしたがって回転する。駆動盤７１には外周面にスライドブロック７２を押す傾斜面７１１を形成する。よって、スライドブロック７２は、座部支持フレーム４の両端のスライド溝４４内を往復する。詳述すると、スライドブロック７２は一端が傾斜面７１１と接触し、他端が連結部材７３の一端に接続する。実施例では連動部材７３を座部フレーム４内に設け、その他端は係合部材７５に連結する。
【００４３】
図７に開示するように、座部支持フレーム２の方向を転換する場合は、スライドリングを引っ張って開放手段５３を連結座４１の位置決め溝４１２から離脱させ連結座４１との係合を解除する。この場合、ハンドル管１０を支持座３の中心の置から上方に回転させる。ハンドル管１０が回転すると、駆動盤７１がスライドブロック７２、連動部材７３、係合部材７５を牽引し、座部支持フレーム４に対する係合を解除する、よって方向を転換することができるようになる。
【００４４】
図８に開示するように、ハンドル管１０で回転座１００を連動させて回転させ場合、傾斜面７１１がスライドブロック７２を押し、スライドブロック７２が係合部材７５を牽引する。ハンドル管１０が継続して回転し、ほぼ支持座３の上方に至ると、係合部材７５が完全に支持座３の位置決め位置３１から離れる。
【００４５】
図９に開示するように、ハンドル管１０を水平に回転させて座部支持フレーム４を牽引すると、支軸５２を軸として支持フレーム１が回転して座部支持フレーム４上の座部支持枠２か、バスケットか、自動車用のシートを回転させた後の角度を保持する。
【００４６】
図１０に開示するように、ハンドル管１０を本来の立っている位置から回転させて引き戻すことができる。例えば、ハンドル管１０を後輪セットの存在する方向に向けて固定する。この場合、係合部材７５が弾性部材７４の付勢力によって支持座３の位置決め位置３１に戻って挿入され、係合状態が回復する。
【００４７】
実施例における前輪セット１３は、回転方向を固定しない車輪セットであって、後輪セット１４は回転方向が固定された車輪セットである。ハンドル管１０は後輪セット１４の上方に保持される。よって、押して動かす動作に便利で、方向を転換する場合に機敏な操作性を維持することができる。
【００４８】
実施例において、支持座３の位置決め位置３１の間隔は１８０度とするため、座部支持フレーム４をベビーカー前方、もしくは後方に向かって固定することができる。但し、位置決め位置３１の数値を増加させたり、間隔の角度を変更させたりすることは任意に行うことができる。例えば９０度にした場合、座部支持フレーム２を固定する方向に位置を増加させることができる。
【００４９】
図１１に、他の実施の形態を開示する。図面によれば、開放手段５は、スライドリング５１と、連結部材５２と、駆動盤７１と、スライドブロック７２と、駆動手段７とを含む。上述する実施の形態と異なる点は、ハンドル管１０をベビーカーの中間から支持座３の上方に回転させることができ、さらに開放手段５のスライドリング５１と連結部材５２とで駆動盤７１を駆動する。駆動盤７１には斜め端面７１１を形成し、斜め端面７１１によって、駆動盤７を駆動する場合にスライドブロック７２を押して、連動部材７３で係合部材７５を動かして、係合部材７５の係合を解除する。
【００５０】
以上はこの考案の好ましい実施の形態であって、この考案の実施の範囲を限定するものではない。よって、当業者のなし得る修正、もしくは変更であって、この考案の精神の下においてなされ、この考案に対して均等の効果を有するものは、いずれもこも考案の実用新案登録請求の範囲に属するものとする。
【図面の簡単な説明】
【００５１】
【図１】この考案によるベビーカーを示した説明図である。
【図２】この発明におけるハンドル管を位置決めした状態を示した説明図である。
【図３】この考案における支持フレームの平面図である。
【図４】この考案によるベビーカーのフレームの分解図である。
【図５】この考案における是部支持フレームと駆動構造の分解図である。
【図６】この考案におけるハンドル管の開放手段の構造を示した説明図である。
【図７】この考案におけるハンドル管の動作を示した説明図である。
【図８】この考案における駆動構造の動作を示した説明図である。
【図９】この考案におけるハンドル管が座部支持フレームと座部を駆動する動作を示した説明図である。
【図１０】この考案におけるハンドル管の動作を示した説明図である。
【図１１】この考案における開放手段が係合部材を駆動する動作を示した説明図である。
【符号の説明】
【００５２】
１            支持フレーム
１０            ハンドル管
１００            回転座
１１            前輪支持管
１１０            側辺管
１２            後輪支持管
１３            前輪セット
１４            後輪セット
１５            連結部材
３            支持座
３１            位置決め位置
３１２            位置決め溝
３２            軸孔
４            座部支持フレーム
４１            連結座
４１１            連結部
４１２            位置決め溝
２            座部支持枠
２１            挿入座
４２            支持軸
４２            支持板
４３            支持板
５            開放手段
５０            弾性部材
５１            スライドリング
５２            連結部材
５３            開放手段
５３１            斜め溝
７            駆動手段
７１            駆動盤
７２            スライドブロック
７３            連動部材
７４            弾性部材
７５            係合部材
【図１】
2008030741.tif 000003
【図２】
2008030741.tif 000004
【図３】
2008030741.tif 000005
【図４】
2008030741.tif 000006
【図５】
2008030741.tif 000007
【図６】
2008030741.tif 000008
【図７】
2008030741.tif 000009
【図８】
2008030741.tif 000010
【図９】
2008030741.tif 000011
【図１０】
2008030741.tif 000012
【図１１】
2008030741.tif 000013
【外国語明細書】
BABY STROLLER FRAME WITH SEAT DIRECTION CHANGING MECHANISM
FIELD OF THE INVENTION
The present invention relates to a baby stroller frame with seat direction changing mechanism, and more particularly, to allow a seat support can change its direction by turning the handle bar of baby stroller.
DESCRIPTION OF THE RELATED ART
Baby stroller is provided for baby or small children that can be pushed by adult for walking forwardly.  Normally, the seat and handle bar of a baby stroller is fixed and the baby can only sit inside and then face forwardly, even though the baby is crying and would like see and talk with the adult who is pushing the stroller behind it.          
To fulfill this situation, an example of a baby stroller as shown in U.S. Patent 5,845,924 which discloses a handle bar of baby stroller is rotatable to change its direction. The handle bar is pivotally connected to a baby stroller frame and can be fixed direction either forwardly or backwardly. When the direction of the handle bar is changed, the baby can sit inside the baby stroller with the choice of facing and seeing the adult who is walking and pushing the baby stroller forwardly.
The baby stroller of U.S. Patent 5,845,924 provides the good idea and the choice to the user, but some time it seems inconvenience when the user need to change the handle bar direction in a narrow or tiny space, for instance, in a crowded elevator. Further, as an ordinary rear wheel sets are direction-fixed, and the front wheel sets are normally direction-unfixed for easy steer when making a turn, it is difficult to take a left / right tune while the handle bar direction is changed and that swapped the front wheel and the rear wheel sets.
SUMMARY OF THE INVENTION
In order to overcome the drawbacks of the prior baby stroller, this invention provides a baby stroller frame with a seat direction changing mechanism. The user can control the mechanism to change the direction of the seat without changing the direction of the handle bar, and the baby can have the choice to sit either in direction of facing forwardly or facing the adult backwardly.
The embodiment of baby stroller of the present invention comprises a support frame, a seat support, a handle bar and a releasing mechanism, wherein the support frame includes a front leg, a rear leg and wheel sets. A upper end of the support frame is provided with an axle hole for lockably and pivotally support the seat support and allowing the seat support to rotate and change its direction on top of the support frame. 
The releasing mechanism comprises a locking member for locking the seat support into a predetermined direction. The locking member of the releasing mechanism is control by turning the handle bar, when changing the direction of the seat support.
Additional objects and advantages of the invention will be set forth in the following description and it is easy for a person having ordinary skill in this art to infer other variations from above illustrations and embodiments. It is to be understood that both the foregoing general description and the following detailed description are exemplary and explanatory only and are not restrictive of the invention, as claimed.
BRIEF DESCRIPTION OF THE DRAWINGS 
FIG.1 is a perspective view of a stroller frame according to the present invention.
FIG. 2 is an elevational side view of the stroller frame with a seat support in a direction of facing forwardly.  
FIG. 3 is a top view of the support frame of the stroller frame of the present invention.
FIG. 4 is an exploded perspective view of the stroller frame of the present invention.      
FIG. 5 is an exploded perspective view that showing the connection between the handle bar and the seat support of the present invention.
FIG. 6 is an illustrative view showing the operation of the releasing mechanism and the swivel base according to the present invention. 
FIG. 8 is an illustrative partial enlarged view showing the operation of the driver when changing the direction of the seat support.
FIG. 9 is an illustrative side view showing the operation of a handle bar to propel the seat support which connected with a seat thereon.
FIG. 10 is an illustrative side view showing rotation of a handle bar to fix the seat support in a rearward direction. 
FIG. 11 is an illustrative partial enlarged view showing the operation of the locking member disengaged from a locking position when changing the direction of the seat support.
DETAILED DESCRIPTION OF THE PREFERRED EMBODIMENTS 
With reference to FIGS. 1 to 5, an embodiment of the stroller frame of the present invention includes a wheeled support frame 1, a seat support 4, a handle bar 10 and a releasing mechanism 5.  The wheeled support frame 1 comprises a front leg 11, a rear leg 12 and wheel sets 13, 14.  
The upper portion of the wheeled support frame 1 is provided with a pivotally support base 3 having an axle hole 32 on the top for pivotally connecting the seat support 4 that allows the seat support 4 rotatably changing its direction about the axle hole 32 on top of the wheeled support frame 1. 
The releasing mechanism 5 includes a locking member 75 for locking the seat support 4 into a fixed direction status.  The releasing mechanism 5 is slidably disposed on the handle bar 10 for actuating the turning of handle bar and the locking member 75 can be pulled by turning the handle bar 10 to set the seat support 4 into a rotatable status, that makes the seat support 4 to be rotatable for changing direction.   
The front leg 11 and rear leg 12 are pivotally connected at the lower portion of the pivotally support base 3.  The lower end of the front leg 11 is provided with a front wheel set 13. The front wheel set 13 can be either a direction-fixed or direction-unfixed wheel set. The lower end of the rear leg 12 is provided with a direction-fixed rear wheel set 14. A linking rod 15 is pivotally is pivotally interconnected the rear leg 11 and front leg 12.
Referring to FIG. 3, the pivotally support base 3 is formed with the axle hole 32 and a pair of locking positions 31. The pair of locking positions can be formed as two recesses or indents on the circumference of the pivotally support base 3 with an angle of 180° apart.
Referring to FIG. 4, the seat support 4 has an axle 42 extended downwardly from lower end for pivotally received and retained within the axle hole 32 and a pair of arms extended upwardly for detachably connecting with a seat frame 2, a carry cot or a vehicle safety seat (not shown).  Each end of the arms of the seat support 4 are provided with a connecting base 41 which having a connecting portion 411 extended therefrom.
The connecting base 41 includes a connecting portion 411 and a positioning groove 412. The positioning groove 412 is used to slidably engage with a releasing member 53 for locking the handle bar 10 in either fixable or rotatable status.
As the seat frame 2 is provided to support a seat, a carry cot or a baby vehicle safety seat, each side of the seat frame 2 is provided with a socket 21 for detachably mounting on the connecting portion 411 of the seat support 4.
The handle bar 10 comprises a pair of side tubes 110 each provided with a swivel base 100 at the end portion. The swivel base 100 is pivotally connected to the connecting base 41 that allowed the handle bar 10 to be rotatable and lockable in an inclined angle.  
Refering to FIGS. 2, 7 and 10, the handle bar 10 is rotatable when the releasing mechanism 5 actuated the rotation of the handle bar 10.
An embodiment of the releasing mechanism 5 as shown in FIG. 6 includes a sliding sleeve 51, a connecting member 52, a releasing member 53 and a resilient member 50.  The sliding sleeve 51 is slidably mounted on the side tubes 110.  The connecting member 52 is interconnected the sliding sleeve 51 and the releasing member 53.  The releasing member 53 has a skewed slot 531 and is linely slidably engaged within the swivel base 100.  The resilient member 50 is arranged between the releasing member 53 and the swivel base 100. 
The inside of connecting base 41 is formed with one or a plurality of positioning groove 412 for engaging with the releasing member 53 in one or several angle position.  The upper end of connecting member 52 is connected to the sliding sleeve 51 and the lower end of connecting member 52 is slidably engaged within the skewed slot 531.  
When a user pulled the sliding sleeve 51, the lower end of the connecting member 52 shall slides along the skewed slot 531 and and yields a component of force to pull back the releasing member 53 from the positioning groove 412 against the resilient member 50. By this way, the handle bar 10 is rotatable and adjustable in angle.
When the sliding sleeve 51 is released, the resilient member 50 keeps biasing against the releasing member 53 to force it engage with the positioning groove 412.  The engagement of releasing member 53 within the positioning groove 412 prevents the handle bar 10 from freely rotation.
As shown in FIGS. 5, 8 and 11, the releasing mechanism 5 may further includes a driver 7 which comprises a sliding block 72, a linking member 73, a resilient member 74 and a locking member 75. The seat support 4 may further includes a guiding cover 43 for slidably receiving the locking member 75 to slide reciprocally therein. 
As shown in FIG. 8, the resilient member 74 is disposed in the guiding cover 43 for biasing the distal end of locking member 75 for keeping to engage within the locking position 31 on the pivotally support base 3, so as to fix the direction of the seat support 4.
Referring to FIGS. 5 and 8, the linking member 73 may be a flexible, such as string or wire. The driving disc 71 is rotatably arranged inside the swivel base 100 and may be rotated about the swivel base 100. The driving disc 71 can be formed with a slope face 711 for slidably contacting and pushing the sliding block 72 lineably and reciprocally inside the sliding groove 44. 
The sliding block 72 has one end to abut and slidably contact with the slope face 711, this makes the other end of sliding block 72 to pull the linking member 73. In the present embodiment, the linking member 73 has a length disposed inside the seat support 4, and connects the locking member 75.  
Turning now to FIG. 8, when the handle bar 10 led the swivel base 100 to rotate, the slope face 711 pushes the sliding block 72 to drive the locking member 75. When the handle bar 10 is rotated near to the pivotally support base 3, the locking member 75 would be pulled to disengage from the locking position 31 of the pivotally support base 3.   
As shown in FIGS. 6 and 7, the direction of a seat frame 2 can be change by pulling the sliding sleeve 51 to disengage the releasing member 53 from the positioning groove 412, so as to make the handle bar 10 to be rotatable. When the handle bar 10 is rotated, the driving disc 71 would pull the sliding block 72, that cause the linking member 73 disengage the locking member 75 from the locking position 31. While locking member 75 disengaged from the locking position 31, the seat support 4 is freely rotatable for changing its direction.           
With reference to FIG. 8, the swivel base 100 following the handle bar 10 to rotate, that cause the slope face 711 pushes the sliding block 72 to drive the locking member 75. When the handle bar 10 is rotated to near the pivotally support base 3, the locking member 75 would be disengaged from the locking position 31, that allows the seat support 4 to change its direction.
As shown in FIG. 9, in the meantime, the user can levelly rotates the handle bar 10 to drive the seat support 4 to change the direction of the seat frame 2, or the carry cot or the car seat (no shown) whenever it is connected to the seat support 4.
Further referring to FIG. 10, when the user pulled back the handle bar 10, the resilient member 74 is biasing against the locking member 75 to engage into the locking position 31; by this way, the direction of the seat support 4 can then be fixed automatically. 
The front wheel set 13 of the present invention, may be an direction-unfixed wheel set, and the rear wheel set 14 is generally a direction-fixed wheel set; the handle bar 10 can be retained to the side near the rear wheel set 14 for the user to push and steer the stroller more easily.   
As the pair of locking positions 31 apart from each other with 180°, the direction of the seat support 4 can either be the forward or backward of the stroller. A person who skilled in the art, may know that the locking positions 31 can be more than two position, and the locking positions 31 can be apart from each other less than 180°; for instance, 90° for adding the direction setting choice of the seat frame 2 for fun.
What is claimed is:
1.             A baby stroller frame, comprising:
a wheeled support frame, including a pivotally support base, a linking rod, a front leg, a rear leg, a front wheel set and a rear wheel set; wherein the pivotally support base is provided with a locking position and the front and the rear leg are pivotally connected at the lower portion of the pivotally support base; the linking rod is pivotally interconnected the front leg and the rear leg; the lower ends of the front leg and the rear leg are connected the front wheel set and the rear wheel set respectively;
a seat support, pivotally connected to the pivotally support base; the seat support having a pair of arms provided with a pair of connecting bases each having a connecting portion extended outwardly;
a locking member, disposed between the seat support and the pivotally support base for preventing the seat support to be rotatable about the pivotally support base when the locking member is slidably engaged within the locking position;
a handle bar, pivotally connected to the arms of the seat support body for pushing the stroller; and 
a releasing mechanism, connected between the handle bar and the locking member; the releasing the mechanism is driven by the rotation of the handle bar to disengage the locking member from the locking position.
2.             A baby stroller frame according to claim 1, wherein the pivotally support base is provided with an axle hole for pivotally supporting the seat support.
3.            A baby stroller frame according to claim 2, wherein the seat support has an axle extended downwardly from lower end for pivotally retained within the axle hole.
4.            A baby stroller frame according to claim 1, wherein the pair of connecting bases is used for detachably connecting a seat frame.
5.            A baby stroller frame according to claim 1, wherein the pair of connecting bases is used for detachably connecting a baby carry cot. 
6.            A baby stroller frame according to claim 1, wherein the pair of connecting bases is used for detachably connecting a baby safety seat.
7.            A baby stroller frame according to claim 1, wherein the seat support further includes a guiding cover for slidably receiving the locking member to slide reciprocally therein.
8.            A baby stroller frame according to claim 1, wherein the handle bar comprises a pair of swivel bases which are pivotally connected to the connecting bases that allows the handle bar to be either lockable or rotatable.
9.            A baby stroller frame according to claim 8, wherein the releasing mechanism includes a sliding sleeve, a connecting member, a releasing member and a resilient member, wherein the connecting member interconnects the releasing member and the sliding sleeve, and the resilient member is biasing the releasing member to slidably engage with the connecting base.
10. A baby stroller frame according to claim 1, wherein when the handle bar is rotated toward the top of the pivotally support base, the locking member is released from the locking position.
11.            A baby stroller frame according to claim 1, wherein the swivel base disposed at the seat support further including a driving disc and a linking member; that when the driving disc is rotated, the locking member is released from the locking position by pulling of the linking member.
12.            A baby stroller frame according to claim 11, wherein the driving disc is located inside the swivel base and rotates together with the swivel base rotation.
13.            A baby stroller frame according to claim 11, wherein the linking member is flexible.
14.            A baby stroller frame according to claim 11, wherein the seat support further includes a driver comprising a sliding block which connected to the locking member by the linking member; that the sliding block is driven by rotating the swivel base to pull the locking member from the locking position.
15.            A baby stroller frame according to claim 14, wherein the driving disc has a slope face for slidably contacting the sliding block to move it linearly back and forth.
16.            A baby stroller frame according to claim 14, wherein the sliding block is slidably disposed within the arms of the seat support.
17.            A baby stroller frame according to claim 14, wherein the locking member is released from the locking position by pulling of the releasing mechanism which is driven by the rotation of the handle bar.
18.            A baby stroller frame according to claim 17, wherein the driver is in relation to the sliding sleeve which pulls the connecting member that indirectly disengages the locking member from the locking position.
Abstract
A baby stroller frame with a seat direction changing mechanism comprising a wheeled support frame, a seat support, a handle bar and a releasing mechanism. The wheeled support frame comprises a front leg, a rear leg and wheel sets. The upper portion of the wheeled support frame has a axle hole for pivotally connecting the seat support and allows the seat support rotatably to change its direction. The angle positioning of the seat support is lockable and releaseable by driving a locking member in a locking position. The releasing mechanism is slidably mounted on the handle bar, and shall concomitantly pulls locking member while the handle bar is rotated by a user. While the locking member is pulled to leave the locking position, the seat support will be free to rotate and change its direction.
【図１】
2008030741.tif 000014
【図２】
2008030741.tif 000015
【図３】
2008030741.tif 000016
【図４】
2008030741.tif 000017
【図５】
2008030741.tif 000018
【図６】
2008030741.tif 000019
【図７】
2008030741.tif 000020
【図８】
2008030741.tif 000021
【図９】
2008030741.tif 000022
【図１０】
2008030741.tif 000023
【図１１】
2008030741.tif 000024